(57)【要約】【課題】ねじを用いないでユニット機器相互を連結して作業の簡易化と迅速化とのほか、ねじの紛失に伴う作業停滞の回避をも実現できるユニット機器相互の連結構造の提供。【解決手段】各ユニット機器１１の天板部１３と底板部１４との各一側縁部１５には、一側開口縁１７を有して相互が同一形状の一側凹陥部１６を、各他側縁部２５には、他側開口縁２７を有して相互が同一形状の他側凹陥部２６を備え、連結時に一側開口縁１７を他側開口縁２７に対面させた一方のユニット機器１１の一側凹陥部１６には、非連結時には該一側凹陥部１６内に位置保持され、連結時には他側開口縁２７とを経て他方のユニット機器１１の他側凹陥部２６側への回動を自在に支軸部１９に軸支された連結金具３２を具備させ、同ユニット機器１１の他側凹陥部２６には、回動させた連結金具３２のフック部３５を掛止させる掛止凸部２９を設けた。【選択図】図１
2008267424.tif 000002
【特許請求の範囲】
【請求項１】
相互に連結されるべき一方のユニット機器と他方のユニット機器とで少なくとも構成され、
これら各ユニット機器の天板部と底板部とのそれぞれにおける連結方向での各一側縁部には、縁辺側に一側開口縁を有して相互に同一形状を呈する一側凹陥部を、連結方向での各他側縁部には、縁辺側に他側開口縁を有して相互に同一形状を呈する他側凹陥部をそれぞれ備え、
その連結時に前記一側開口縁を前記他側開口縁に対面させて隣接する他方のユニット機器の前記一側凹陥部には、非連結時には該一側凹陥部内に位置保持され、連結時には前記一側開口縁と前記他側開口縁とを経て一方のユニット機器の前記他側凹陥部側への回動を自在に支軸部に軸支された連結金具を具備させ、
一方のユニット機器の前記他側凹陥部には、回動させた前記連結金具が備えるフック部を掛止させるための掛止凸部を設けたことを特徴とするユニット機器相互の連結構造。
【請求項２】
前記他側凹陥部には、前記掛止凸部に前記連結金具を掛止させた際に位置保持させるための突起部を設けた請求項１に記載のユニット機器相互の連結構造。
【請求項３】
前記連結金具には、抓み操作部を設けた請求項１または２に記載のユニット機器相互の連結構造。
【発明の詳細な説明】
【技術分野】
【０００１】
本発明は、例えばデータロガーとアンプとを組み合わせるなどして構成される個々のユニット機器を確実、かつ、容易に連結することができるユニット機器相互の連結構造に関する技術である。
【背景技術】
【０００２】
例えばデータロガーとアンプとを組み合わせるなどして構成される単体としてのユニット機器は、同様にして構成される他のユニット機器と連結することで、仕様に対応させた１つの測定装置として使用できるようものもある。
【０００３】
そして、このような用途に供されるユニット機器相互の連結には、現場における作業が簡単であるばかりでなく、容易には分離しない確実な連結構造が要請されることになる。
【０００４】
このような要請から開発された技術としては、例えば下記特許文献１に開示されているユニット連結金具がある。
【特許文献１】特許第３８３６４３８号公報
【０００５】
上記特許文献１のユニット連結金具は、各ユニット機器の対応部位に凹陥部が設けられており、該凹陥部内に１個の連結金具がその長さ方向を側縁方向に沿わせ、かつ、その長さ方向での２カ所にねじ止めされた状態で取り付けられている。
【０００６】
そして、ユニット機器相互を連結するに際しては、まず、相互に対面する位置関係にある一方の凹陥部内の連結金具からは一方のねじを、他方の凹陥部内の連結金具からは他方のねじをそれぞれ外してこれらをなくさないように保管する。
【０００７】
次いで、ユニット機器相互は、一方の凹陥部内の連結金具を残っている他方のねじを緩めて回転中心とすることで外方に９０度回転移動させ、他方の凹陥部内の連結金具を残っている一方のねじを緩めて回転中心とすることで外方に９０度回転移動させて向き合わせる。
【０００８】
この状態で、一方の凹陥部内の連結金具の突出部分を、他方の凹陥部の空きスペース内に、他方の凹陥部内の連結金具の突出部分を、一方の凹陥部の空きスペース内にそれぞれ位置させ、緩めてあるねじと保管してあるねじとをそれぞれ締め付けることで、ユニット機器相互の対応部位が相互に連結されることになる。
【発明の開示】
【発明が解決しようとする課題】
【０００９】
しかし、上記特許文献１に開示されているユニット連結金具による場合には、１つの連結金具を凹陥部内にねじ止めしている２本のねじのうち、一方のねじは緩め、他方のねじは外して保管するという作業を２度にわたり行わなければならないという作業的な煩雑さがあるばかりでなく、外したねじを紛失するおそれもあるという不具合があった。
【００１０】
また、ユニット機器相互の連結は、連結状態の安定性確保の見地から、１カ所では足りなく、少なくても２カ所で行われることから、用いられるねじも合計８本必要になり、それだけねじの操作回数が増えて迅速性に欠け、かつ、紛失する可能性もそれだけ高くなるという不具合もあった。
【００１１】
本発明は、従来技術の上記課題に鑑み、ユニット機器相互の連結を上面側と下両側との２カ所で行うに際し、ねじを一切用いずに行えるようにすることで、連結作業の簡易化と迅速化とのほか、ねじの紛失に伴う作業停滞の回避をも実現することができるユニット機器相互の連結構造を提供することを目的とする。
【課題を解決するための手段】
【００１２】
本発明は、上記目的を達成すべくなされたものであり、相互に連結されるべき一方のユニット機器と他方のユニット機器とで少なくとも構成され、これら各ユニット機器の天板部と底板部とのそれぞれにおける連結方向での各一側縁部には、縁辺側に一側開口縁を有して相互に同一形状を呈する一側凹陥部を、連結方向での各他側縁部には、縁辺側に他側開口縁を有して相互に同一形状を呈する他側凹陥部をそれぞれ備え、その連結時に前記一側開口縁を前記他側開口縁に対面させて隣接する他方のユニット機器の前記一側凹陥部には、非連結時には該一側凹陥部内に位置保持され、連結時には前記一側開口縁と前記他側開口縁とを経て一方のユニット機器の前記他側凹陥部側への回動を自在に支軸部に軸支された連結金具を具備させ、一方のユニット機器の前記他側凹陥部には、回動させた前記連結金具が備えるフック部を掛止させるための掛止凸部を設けたこととを最も主要な特徴とする。
【００１３】
この場合、前記他側凹陥部には、前記掛止凸部に前記連結金具を掛止させた際に位置保持させるための突起部を設けておくのが好ましい。また、前記連結金具には、抓み操作部を設けておくのがの望ましい。
【発明の効果】
【００１４】
請求項１に記載の発明によれば、他方のユニット機器がその上下両面に備える連結金具を一方のユニット機器方向に単に各別に回動させることで、ユニット機器相互を簡単、かつ、確実に連結することができる。また、ねじを一切用いずに連結作業を行うことができるので、ねじの紛失に伴う作業の停滞を確実に回避させることができる。
【００１５】
請求項２に記載の発明によれば、掛止凸部に連結金具を掛止させた際の位置を保持させておくための突起部を他側凹陥部に設けてあるので、その掛止状態をより安定的に維持させることができる。
【００１６】
請求項３に記載の発明によれば、連結金具は抓み操作部を備えているので、該抓み操作部を手指で抓むことにより連結金具の回動操作をより円滑に行うことができる。
【発明を実施するための最良の形態】
【００１７】
図１は、本発明の一例につきその連結時状態時の平面図を、図２（ａ）は、図１におけるＡ−Ａ線矢視方向での拡大断面図を、図２（ｂ）は、図１におけるＢ−Ｂ線矢視方向での拡大断面図をそれぞれ示す。また、図３は、図１に示す例についての全体斜視図を、図４は、本発明に用いられる連結金具の拡大斜視図をそれぞれ示す。
【００１８】
これらの図によれば、その全体は、例えばデータロガーとアンプとを組み合わせてなる単体としてのユニット機器１１，１１相互をチャンネル別に連結するなどして構成されている。
【００１９】
そして、各ユニット機器１１は、同一の外観形状を呈する筐体１２内にその機能に応じて必要な各種の回路等が内蔵されており、それぞれの天板部１３，１３相互と、底板部１４，１４相互とを介して連結されるようになっている。
【００２０】
すなわち、各筐体１２における天板部１３と底板部１４とのそれぞれにおける連結方向での各一側縁部１５には、その縁辺１５ａ側に一側開口縁１７を有して相互に同一形状を呈する一側凹陥部１６を、連結方向での各他側縁部２５には、その縁辺２５ａ側に他側開口縁２７を有して相互に同一形状を呈する他側凹陥部２６をそれぞれ備えて形成されている。
【００２１】
この場合、その連結時に一側開口縁１７を他側開口縁２５に対面させて隣接する他方（図示例では右側）のユニット機器１１の一側凹陥部１６には、非連結時には該一側凹陥部１６内に位置保持され、連結時には一側開口縁１７と他側開口縁２７とを経て一方（図示例では左側）のユニット機器１１の他側凹陥部２６側への回動を自在に支軸部１９に軸支された連結金具３２が配設されている。
【００２２】
すなわち、各ユニット機器１１における一側凹陥部１６は、非連結時に連結金具３２の平面形状との関係で定まる適宜の平面形状を備えてこれを安定的に収納保持できるようになっている。
【００２３】
これを具体的に説明すれば、適宜の金属を用いて形成される連結金具３２は、略長円形状を主体とする厚さが例えば１．６ｍｍ程度の金具本体部３３と、連結時の回動方向を開口側として該金具本体部３３の先端部３３ａの長さ方向での一側縁部３４側に形成されたフック部３５と、金具本体部３３の基端部３３ｂに設けられた軸支孔３６と、金具本体部３３の他側縁部３７側に切り込みを入れて直立させた抓み部操作部３８とを備えて形成されている。また、該抓み部操作部３８は、一側凹陥部１６から例えば１．４ｍｍ程度突出する高さのもとで直立している。
【００２４】
また、各ユニット機器１１における一側凹陥部１６は、筐体１２の縁辺１５ａ方向を長さ方向として非連結時に連結金具３２をほぼぴったりと収納でき、かつ、そのフック部３５が連結時に円滑に外出できる一側開口縁１７を備えて、一側縁部１５の略中央位置に形成されている。
【００２５】
しかも、一側凹陥部１６の底面１８には、図２（ａ）に示されているように、連結金具３２の軸支孔３６との対面部位に連結金具３２の厚さよりもその座高がやや高い、例えば１．７ｍｍ程度の支軸部１９が筒状に立設されており、該支軸部１９に連結金具３２の軸支孔３６を遊挿してねじ２０で抜脱困難に止着することで、連結金具３２を回動自在に軸支できるようになっている。
【００２６】
また、一側凹陥部１６の底面１８には、図１および２（ａ）に示されているように、収納時における連結金具３２のフック部３５の奥端３５ａが位置する部位に連結金具３２の厚さよりもその頂端２１ａの高さが低い断面円弧状を呈する例えば０．３ｍｍ程度の高さの突出部２１が形成されており、該突出部２１により連結金具３２を安定的に収納保持できるようになっている。
【００２７】
一方、各ユニット機器１１における他側凹陥部２５は、その連結時に他のユニット機器１１がその一側縁部１５に備える一側開口縁１７とほぼ対面合致する他側開口縁２７を備え、かつ、連結時に連結金具３２を略９０度の回動角度まで円滑に回動させることができる平面形状が付与されて形成されている。
【００２８】
しかも、他側凹陥部２６の底面２８には、図２（ｂ）からも明らかなように、連結金具３２を略９０度の回動角度まで回動させた際にフック部３５の奥端３５ａ側と当接してフック部３５を掛止させるための掛止凸部２９が設けられている。該掛止凸部２９は、連結金具３２の厚さと略同高の座高が付与されて形成されている。
【００２９】
また、他側凹陥部２６は、連結金具３２を掛止凸部２９方向に回動させた際にフック部３５側が乗り上げて、掛止凸部２９に掛止させた状態のもとで乗り越えることができる形状と位置関係とが付与されて設けられた突起部３０を備えている。該突起部３０は、図１に示す状態での縦断面形状がドーム形状を呈するカマボコ型に形成されており、連結金具３２の厚さよりもその頂高が低い例えば０．３ｍｍ程度の座高を有しており、これにより連結金具３２の掛止凸部２９への掛止状態を安定的に維持させることができるようになっている。
【００３０】
次に、上記構成からなる本発明の作用・効果を、図示例に基づいて説明すれば、非連結時には、図１において左側に位置するユニット機器１１の一側凹陥部１６内の配置関係からも明らかなように、連結金具３２をそのフック部３５の奥端３５ａに突出部２１を当接させて安定的に収納保持されている。
【００３１】
ユニット機器１１，１１相互を連結するに際しては、左側に位置する一方のユニット機器１１の他側凹陥部２６の他側開口縁２７と、右側に位置する他方のユニット機器１１の一側凹陥部１６の一側開口縁１７とが相互に対面するように配置する。
【００３２】
このような位置関係でユニット機器１１，１１相互を隣接配置した後は、右側に位置する他方の一側凹陥部１６内に安定的に収納保持されている連結金具３２を、その抓み操作部３８を手指で抓んで左方向に動かすような外力を与える。
【００３３】
支軸部１９に遊挿されている連結金具３２は、外力を受けることにより比較的動きにくい状態のもとで突出部２１の頂端２１ａに乗り上げた後、これを乗り越えて左側の一方のユニット機器１１の他側凹陥部２６内に一側開口縁１７と他側開口縁２７とを経て入り込む。
【００３４】
左側に位置する一方のユニット機器１１の他側凹陥部２６には、入り込んだ連結金具３２を略９０度の回動角度まで円滑に移動させた時点でそのフック部３５の奥端３５ａと当接してこれを掛止する掛止凸部２９が設けられているので、連結金具３２の動きを停止させることができる。
【００３５】
しかも、他側凹陥部２６には、外力を受けることにより比較的動きにくい状態のもとで乗り上げて、乗り越えた際にフック部３５が掛止凸部２９に掛止される位置関係のもとで形成された突起部３０を備えているので、その掛止状態を安定的に維持させることができることになる。
【００３６】
つまり、本発明によれば、右側に位置する他方のユニット機器１１がその上下両面に備える連結金具３２を左側に位置する一方のユニット機器１１方向に単に各別に回動させることで、ユニット機器１１，１１相互を簡単、かつ、確実に連結することができる。
【００３７】
また、ユニット機器１１，１１相互の連結状態は、連結時とは逆の操作をして連結金具３２を元の位置に戻すことで、極く容易にこれを解消させることができる。
【００３８】
以上は、本発明を図示例に基づいて説明したものであり、その具体的な内容はこれに限定されるものではない。ユニット機器は、相互に略同一形状を呈しているものであれば、どのような用途に供されるものであっても本発明を適用することができる。また、ユニット機器１１の上下両面に形成される一側凹陥部１６と他側凹陥部２６との平面形状は、連結間具３２の具体的な平面形状との関係で定まるものであり、他の平面形状を呈する連結金具が採用される場合には、一側凹陥部および他側凹陥部も連結金具を略９０度回動させることができる平面形状のもとで形成されることになる。さらに、図示例では、２台のユニット機器１１を連結する場合を例に説明してあるが、必要に応じて３台以上の複数台を相互に連結することもできる。
【図面の簡単な説明】
【００３９】
【図１】本発明の一例につきその連結時の状態を示す平面図。
【図２】（ａ）は、図１におけるＡ−Ａ線矢視方向での拡大断面図を、（ｂ）は、図１におけるＢ−Ｂ線矢視方向での拡大断面図をそれぞれ示す。
【図３】図１に示す例についての全体斜視図を示す。
【図４】本発明に用いられる連結金具の一例を示す拡大斜視図。
【符号の説明】
【００４０】
１１  ユニット機器
１２  筐体
１３  天板部
１４  底板部
１５  一側縁部
１５ａ  縁辺
１６  一側凹陥部
１７  一側開口縁
１８  底面
１９  支軸部
２０  ねじ
２１  突出部
２１ａ  頂端
２５  他側縁部
２５ａ  縁辺
２６  他側凹陥部
２７  他側開口縁
２８  底面
２９  掛止凸部
３０  突起部
３２  連結金具
３３  金具本体部
３３ａ  先端部
３３ｂ  基端部
３４  一側縁部
３５  フック部
３５ａ  奥端
３６  軸支孔
３７  他側縁部
３８  抓み操作部
【図１】
2008267424.tif 000003
【図２】
2008267424.tif 000004
【図３】
2008267424.tif 000005
【図４】
2008267424.tif 000006